(57)【要約】【課題】ねじりモーメントと曲げモーメントの一方のみならず両方をウェイトの重量荷重により試験片に付与するクリープ試験装置を提供する。【解決手段】クリープ試験装置１が、試験片２を収容するとともに試験片２を加熱する加熱炉３０と、試験片２の一端を固定し、試験片２の軸線を水平に支持する試験片支持部２１と、試験片２の軸線に対して直交するように試験片２の他端に連結され、水平に延在した第一荷重伝達レバー４１と、試験片２からずれた位置において第一荷重伝達レバー４１の上を横切るとともに、振り上げ下げ可能に支持された第二荷重伝達レバー５１と、第二荷重伝達レバー５１に重量荷重を付与することによって、第二荷重伝達レバー５１を第一荷重伝達レバー４１の上から第一荷重伝達レバー４１に押し当てるウェイト６０と、を備える。【選択図】図１
2019148472.tif 000002
【特許請求の範囲】
【請求項１】
試験片を収容するとともに前記試験片を加熱する加熱炉と、
前記試験片の一端を固定し、前記試験片の軸線を水平に支持する試験片支持部と、
前記試験片の軸線に対して直交するように前記試験片の他端に連結され、水平に延在した第一荷重伝達レバーと、
前記試験片からずれた位置において前記第一荷重伝達レバーの上又下を横切るとともに、振り上げ下げ可能に支持された第二荷重伝達レバーと、
前記第二荷重伝達レバーに重量荷重を付与することによって、前記第二荷重伝達レバーを前記第一荷重伝達レバーの上又は下から前記第一荷重伝達レバーに押し当てるウェイトと、を備え、
ねじりモーメントと曲げモーメントの両方を前記ウェイトの重量荷重により前記試験片に付与する
クリープ試験装置。
【請求項２】
前記試験片に関して前記第二荷重伝達レバーの反対側の位置において前記第一荷重伝達レバーの上又は下を横切るとともに、振り上げ下げ可能に支持された第三荷重伝達レバーと、
前記第三荷重伝達レバーに重量荷重を付与することによって、前記第三荷重伝達レバーを前記第一荷重伝達レバーの上又は下から前記第一荷重伝達レバーに押し当てる第二ウェイトと、
を更に備え、
前記第三荷重伝達レバーが着脱可能であり、
前記第三荷重伝達レバーが外された場合に、ねじりモーメントと曲げモーメントの両方を前記ウェイトの重量荷重により前記試験片に付与し、
前記第三荷重伝達レバーが取り付けられた場合に、ねじりモーメントと曲げモーメントのどちらか一方を前記ウェイト及び前記第二ウェイトの重量荷重により前記試験片に付与する
請求項１に記載のクリープ試験装置。
【発明の詳細な説明】
【技術分野】
【０００１】
本発明は、ねじりモーメントと曲げモーメントの一方のみならず両方を試験片に付与するクリープ試験装置に関する。
【背景技術】
【０００２】
特許文献１には、２体のウェイトの重量荷重を利用して、試験片に引張荷重を付与するクリープ試験装置が開示されている。
【先行技術文献】
【特許文献】
【０００３】
【特許文献１】特開平０８−０４３２８１号公報
【発明の概要】
【発明が解決しようとする課題】
【０００４】
ところで、ウェイトの重量荷重により試験片にねじりモーメントと曲げモーメントの一方のみならず、両方を付与するクリープ試験装置が望まれている。発明者及び出願人は、そのようなクリープ試験装置を開示した先行技術文献を発見することができなかった。
【０００５】
そこで、本発明は、上記事情に鑑みてなされたものである。その発明の目的は、ねじりモーメントと曲げモーメントの一方のみならず両方をウェイトの重量荷重により試験片に付与するクリープ試験装置を提供することである。
【課題を解決するための手段】
【０００６】
以上の課題を解決するために、クリープ試験装置は、試験片を収容するとともに前記試験片を加熱する加熱炉と、前記試験片の一端を固定し、前記試験片の軸線を水平に支持する試験片支持部と、前記試験片の軸線に対して直交するように前記試験片の他端に連結され、水平に延在した第一荷重伝達レバーと、前記試験片からずれた位置において前記第一荷重伝達レバーの上又下を横切るとともに、振り上げ下げ可能に支持された第二荷重伝達レバーと、前記第二荷重伝達レバーに重量荷重を付与することによって、前記第二荷重伝達レバーを前記第一荷重伝達レバーの上又は下から前記第一荷重伝達レバーに押し当てるウェイトと、を備え、ねじりモーメントと曲げモーメントの両方を前記ウェイトの重量荷重により前記試験片に付与する。
【０００７】
以上によれば、ウェイトの重量荷重が第二荷重伝達レバーを介して試験片からずれた位置において第一荷重伝達レバーに対して上向き又は下向きに伝達される。第一荷重伝達レバーに伝達される荷重は、試験片にねじりモーメントと曲げモーメントの両方を発生させる。
【０００８】
前記クリープ試験装置が、前記試験片に関して前記第二荷重伝達レバーの反対側の位置において前記第一荷重伝達レバーの上又は下を横切るとともに、振り上げ下げ可能に支持された第三荷重伝達レバーと、前記第三荷重伝達レバーに重量荷重を付与することによって、前記第三荷重伝達レバーを前記第一荷重伝達レバーの上又は下から前記第一荷重伝達レバーに押し当てる第二ウェイトと、を更に備え、前記第三荷重伝達レバーが着脱可能であり、前記第三荷重伝達レバーが外された場合に、ねじりモーメントと曲げモーメントの両方を前記ウェイトの重量荷重により前記試験片に付与し、前記第三荷重伝達レバーが取り付けられた場合に、ねじりモーメントと曲げモーメントのどちらか一方を前記ウェイト及び前記第二ウェイトの重量荷重により前記試験片に付与する。
【０００９】
以上によれば、第二荷重伝達レバー及び第三荷重伝達レバーのうち一方が第一荷重伝達レバーの上から第一荷重伝達レバーに押し当てられ、他方が第一荷重伝達レバーの下から第一荷重伝達レバーに押し当てられる。ウェイトから第二荷重伝達レバーを介して第一荷重伝達レバーに伝達される荷重と、第二ウェイトから第三荷重伝達レバーを介して第一荷重伝達レバーに伝達される荷重との両方は、試験片にねじりモーメントを発生させる。
また、第二荷重伝達レバー及び第三荷重伝達レバーの両方が第一荷重伝達レバーの上又は下から第一荷重伝達レバーに押し当てられる。そうすると、ウェイトから第二荷重伝達レバーを介して第一荷重伝達レバーに伝達される荷重と、第二ウェイトから第三荷重伝達レバーを介して第一荷重伝達レバーに伝達される荷重との両方は、試験片に曲げモーメントを発生させる。
【発明の効果】
【００１０】
本発明の実施形態によれば、ウェイトの重量荷重によってねじりモーメントと曲げモーメントの両方が試験片に発生する。ウェイトと第二ウェイトの重量荷重によってねじりモーメントと曲げモーメントのどちらか一方が試験片に発生する。
【図面の簡単な説明】
【００１１】
【図１】図１は、第１態様となったクリープ試験装置をその前方、上方且つ左方から見て示した斜視図である。
【図２】図２は、第１態様となったクリープ試験装置をその前方、上方且つ左方から見て示した斜視図である。
【図３】図３は、第１態様となったクリープ試験装置をその後方、上方且つ右方から見て示した斜視図である。
【図４】図４は、第１態様となったクリープ試験装置をその前方、上方且つ右方から見て示した斜視図である。
【図５】図５は、第２態様となったクリープ試験装置をその前方、上方且つ左方から見て示した斜視図である。
【図６】図６は、第２態様となったクリープ試験装置をその後方、上方且つ右方から見て示した斜視図である。
【図７】図７は、第３態様となったクリープ試験装置をその前方、上方且つ左方から見て示した斜視図である。
【図８】図８は、第３態様となったクリープ試験装置をその後方、上方且つ右方から見て示した斜視図である。
【発明を実施するための形態】
【００１２】
以下、図面を参照して、本発明の実施形態について説明する。以下に述べる実施形態には、本発明を実施するために技術的に好ましい種々の限定が付されている。本発明の範囲を以下の実施形態及び図示例に限定するものではない。
【００１３】
１．  クリープ試験装置
図１〜図８は、クリープ試験装置１の斜視図である。図１〜図４は、試験片２にねじり荷重と曲げ荷重の両方を付与する態様（以下、第１態様という）を示す。図５及び図６は、試験片２にねじり荷重を付与する態様（以下、第２態様という）を示す。図７及び図８は、試験片２に曲げ荷重を付与する態様（以下、第３態様という）を示す。
【００１４】
試験片２は丸棒又は丸パイプの形状を有し、その丸棒又は丸パイプの中心線が試験片２の軸線である。ねじり荷重とは、試験片２の軸線回りに試験片２をねじるような荷重をいう。ねじり荷重は、試験片２にねじりモーメントを発生させる。曲げ荷重とは、試験片２の軸線に垂直な方向に試験片２を曲げるような荷重をいう。曲げ荷重は、試験片２に曲げモーメントを発生させる。
【００１５】
作業者が第１態様のクリープ試験装置１に支持台８０、第三荷重伝達レバー８１、第二バランスウェイト８４及び第二ウェイト９０を組み付けると、クリープ試験装置１が第２の態様になる。作業者が第２態様のクリープ試験装置１から第三荷重伝達レバー８１、第二バランスウェイト８４及び第二ウェイト９０を取り外すと、クリープ試験装置１が第１の態様になる。作業者が第１態様のクリープ試験装置１に支持台１００、第三荷重伝達レバー１０１、第二バランスウェイト１０４及び第二ウェイト１１０を組み付けると、クリープ試験装置１が第３の態様になる。作業者が第３態様のクリープ試験装置１から支持台１００、第三荷重伝達レバー１０１、第二バランスウェイト１０４及び第二ウェイト１１０を取り外すと、クリープ試験装置１が第１の態様になる。
以上のように作業者がクリープ試験装置１の態様を変更することによって、試験片２に付与する荷重の態様が変更される。
【００１６】
２．  第１態様（曲げ及びねじり）
図１及び図２は、第１態様となったクリープ試験装置１をその前方、上方且つ左方から見て示した斜視図である。図１では、クリープ試験装置１の加熱炉３０が閉じられた状態である。図２では、第１態様となったクリープ試験装置１の加熱炉３０が開かれた状態である。図３は、クリープ試験装置１をその後方、上方且つ右方から見て示した斜視図である。図４は、第１態様となったクリープ試験装置１をその前方、上方且つ右方から見て示した斜視図である。図１〜３では、クリープ試験装置１の各部を見やすくするために、変位センサ７１，７２の図示を省略する。
【００１７】
ベース板１１の下面には、高さ調整可能な４つの脚１２が取り付けられている。ベース板１１がこれら脚１２によって作業台の上に支持される。脚１２の高さを個別に調整することによって、ベース板１１を水平に設置することができる。
【００１８】
ベース板１１上には、取付台２０が取り付けられている。取付台２０の前面には、試験片支持部２１が取り付けられている。試験片２の一端が試験片支持部２１に対して着脱可能に試験片支持部２１によって把持される。試験片支持部２１に固定された試験片２の軸線は、ベース板１１の上方において前後に延在するとともに、ベース板１１に対して平行である。試験片２の軸線は、試験片支持部２１によって水平に支持される。
【００１９】
ベース板１１上の取付台２０の前には、加熱炉３０が設置されている。加熱炉３０は下半体３１及び上半体３２を有する。下半体３１が取付台２０の前においてベース板１１上に取り付けられ、上半体３２がヒンジ３４によって回転可能に下半体３１に連結されている。上半体３２が下半体３１の上に倒された状態では、下半体３１の上面に形成された溝３１ａと上半体３２の下面に形成された溝３２ａが上下に重なり合う。溝３１ａ，３２ａが重なり合うことによって、加熱炉３０内に中空の加熱部３３が形成される。加熱部３３は加熱炉３０の前面と後面において開口しており、試験片支持部２１が加熱炉３０の後面の開口から加熱部３３に挿入されている。試験片２は加熱部３３に収容される。
【００２０】
加熱炉３０は電気炉であり、電気ヒータ及び温度センサが加熱炉３０に設けられている。電気ヒータによって加熱部３３及び試験片２が加熱され、加熱部３３の温度が温度センサに計測される。制御回路が温度センサの計測温度に従って電気ヒータをフィードバック制御することによって、加熱部３３が一定の温度に制御される。
【００２１】
試験片２の他端がチューブ型のブラケット４０に挿入されている。試験片２の他端がブラケット４０に対して着脱可能にブラケット４０に固定されている。ブラケット４０の端面には、第一荷重伝達レバー４１がねじにより固定されている。第一荷重伝達レバー４１が水平に延在している。第一荷重伝達レバー４１の軸線は、試験片２の軸線に対して直交する。
【００２２】
第一荷重伝達レバー４１は、加熱炉３０の前面の前に配置されている。ブラケット４０は加熱炉３０の前面の開口から加熱部３３に挿入されている。ブラケット４０が加熱部３３の内面から内側に離間しており、ブラケット４０が加熱炉３０に支持されていない。
【００２３】
ベース板１１上には、支持台５０が取り付けられている。支持台５０は、加熱炉３０の左斜め前に配置されている。支持台５０の上部には、第二荷重伝達レバー５１が支点５２を中心にして振り上げ下げ可能に支点５２によって連結されている。支点５２の回転軸線は左右に延びており、第二荷重伝達レバー５１が支点５２から前後に延びている。支点５２は第一荷重伝達レバー４１よりも前に位置する。第二荷重伝達レバー５１の前端には、バランスウェイト５４が取り付けられている。バランスウェイト５４と第二荷重伝達レバー５１の全体としての重量は、支点５２において釣り合いが取れている。
【００２４】
第二荷重伝達レバー５１のうち支点５２から後端までの部分は、第一荷重伝達レバー４１の左端の上を前後に横切っている。
【００２５】
第二荷重伝達レバー５１のうち支点５２から後端までの部分には、複数の係止穴５３が第二荷重伝達レバー５１の軸線方向に間隔を置いて形成されている。何れかの係止穴５３にウェイト６０のフック６１が引っ掛かって、そのウェイト６０が係止穴５３から懸下されている。
【００２６】
ウェイト６０の重量荷重が第二荷重伝達レバー５１に付与されることによって、支点５２から第二荷重伝達レバー５１の後端までの部分が振り下げられる。ウェイト６０の重量荷重により第二荷重伝達レバー５１が第一荷重伝達レバー４１の左端の上から第一荷重伝達レバー４１の左端に押し当てられる。第二荷重伝達レバー５１がその下から第一荷重伝達レバー４１の左端によって支持される。第二荷重伝達レバー５１においては、第一荷重伝達レバー４１による支持力のモーメントとウェイト６０の荷重のモーメントが釣り合う。また、第二荷重伝達レバー５１と第一荷重伝達レバー４１の接触箇所では、下向きの荷重がウェイト６０の重量荷重によって第二荷重伝達レバー５１から第一荷重伝達レバー４１の左端に付与される。その下向きの荷重は、試験片２に曲げモーメントとねじりモーメントの両方を発生させる。何れかの係止穴５３から懸下されたウェイト６０を別の係止穴５３に付け替えることによって、第二荷重伝達レバー５１から第一荷重伝達レバー４１の左端に付与される下向きの荷重の大きさが変化する。
【００２７】
図４に示すように、曲げモーメントによる試験片２の他端の下方への変位をダイヤルゲージ式の変位センサ７１によって計測することができる。試験片２のねじり変形に伴う第一荷重伝達レバー４１と第二荷重伝達レバー５１の接触部分の下方への変位がダイヤルゲージ式の変位センサ７２によって計測することができる。
【００２８】
第１態様のクリープ試験装置１を用いたクリープ試験方法について以下に説明する。
【００２９】
まず、上半体３２を下半体３１から起こし上げることによって、加熱炉３０を開く。そして、試験片２を下半体３１の溝３１ａに入れて、試験片２の両端をそれぞれ試験片支持部２１、ブラケット４０に固定して、ブラケット４０に第一荷重伝達レバー４１に取り付ける。この際、第一荷重伝達レバー４１の軸線を水平にする。
【００３０】
次に、上半体３２を下半体３１の上に倒すことによって、加熱炉３０を閉じる。そうすると、試験片２が加熱部３３に収容される。
【００３１】
次に、変位センサ７１，７２を設置する。次に、加熱炉３０の電源を入れて、加熱部３３を高温に加熱して、加熱部３３の温度を所定の温度に保たせる。
【００３２】
次に、何れかの係止穴５３にフック６１を引っ掛けて、その係止穴５３からウェイト６０を懸下する。そうすると、支点５２から第二荷重伝達レバー５１の後端までの部分がウェイト６０の重量荷重によって振り下げられるので、第二荷重伝達レバー５１が第一荷重伝達レバー４１の左端の上から第一荷重伝達レバー４１の左端に押し当てられる。ウェイト６０の重量荷重によってねじりモーメント及び曲げモーメントが試験片２に発生する。
次に、変位センサ７１，７２のゼロ点を設定する。
【００３３】
試験片２が加熱炉３０により加熱された状態で、ねじりモーメント及び曲げモーメントが試験片２に与えられるため、試験片２にクリープ現象が生じる。つまり、時間の経過に伴って試験片２のねじり及び曲げの変形が増大する。そこで、クリープ試験の間中、試験片２の他端の下方への変位を変位センサ７１によって連続的、断続的又は間欠的に計測する。変位センサ７１による計測結果を試験片２の曲げ変形量に換算することができる。
また、クリープ試験の間中、第一荷重伝達レバー４１と第二荷重伝達レバー５１の接触部分の下方への変位を変位センサ７２によって連続的、断続的又は間欠的に計測する。変位センサ７２による計測結果を試験片２のねじり変形量に換算することができる。
【００３４】
３．  第２態様（ねじり）
図５は、第２態様となったクリープ試験装置１をその前方、上方且つ左方から見て示した斜視図である。図６は、第２態様となったクリープ試験装置１をその後方、上方且つ右方から見て示した斜視図である。
【００３５】
ベース板１１上には、支持台８０が着脱可能に取り付けられている。支持台８０は、加熱炉３０の右斜め前に配置されている。支持台８０の上部には、第三荷重伝達レバー８１が支点８２を中心にして振り上げ下げ可能に支点８２によって連結されている。支点８２の回転軸線は左右に延びており、第三荷重伝達レバー８１が支点８２から前後に延びている。支点８２は第一荷重伝達レバー４１よりも後ろに位置する。支点８２は支点５２よりも低い位置にある。
【００３６】
第三荷重伝達レバー８１の前端には、第二バランスウェイト８４が取り付けられている。第二バランスウェイト８４と第三荷重伝達レバー８１の全体としての重量は、支点８２において釣り合いが取れている。
【００３７】
第三荷重伝達レバー８１のうち支点８２から前端までの部分は、第一荷重伝達レバー４１の右端の下を前後に横切っている。
【００３８】
第三荷重伝達レバー８１のうち支点８２から後端までの部分には、複数の係止穴８３が第三荷重伝達レバー８１の軸線方向に間隔を置いて形成されている。何れかの係止穴８３に第二ウェイト９０のフック９１が引っ掛かって、その第二ウェイト９０が係止穴８３から懸下されている。
【００３９】
第二ウェイト９０の重量荷重が第三荷重伝達レバー８１に付与されることによって、支点８２から第三荷重伝達レバー８１の後端までの部分が振り下げられ、支点８２から第三荷重伝達レバー８１の前端までの部分が振り上げられる。第二ウェイト９０の重量荷重によって第三荷重伝達レバー８１が第一荷重伝達レバー４１の右端の下から第一荷重伝達レバー４１に押し当てられる。第三荷重伝達レバー８１がその上から第一荷重伝達レバー４１の右端によって支持される。第三荷重伝達レバー８１においては、第一荷重伝達レバー４１による支持力のモーメントと第二ウェイト９０の荷重のモーメントが釣り合う。また、第三荷重伝達レバー８１と第一荷重伝達レバー４１の接触箇所では、上向きの荷重が第二ウェイト９０の重量荷重によって第三荷重伝達レバー８１から第一荷重伝達レバー４１の右端に付与される。その上向きの荷重と、第二荷重伝達レバー５１から第一荷重伝達レバー４１に付与される下向きの荷重の両方は、試験片２にねじりモーメントを発生させる。
【００４０】
第２態様のクリープ試験装置１を用いたクリープ試験方法について以下に説明する。
【００４１】
第１態様の場合と同様に、試験片２の両端をそれぞれ試験片支持部２１、ブラケット４０に固定して、ブラケット４０に第一荷重伝達レバー４１に取り付けて、試験片２を加熱炉３０内に収容する。
次に、変位センサ７１，７２を設置する。
次に、加熱炉３０の電源を入れて、加熱部３３の温度を高温に保たせる。
次に、何れかの係止穴５３にフック６１を引っ掛けて、その係止穴５３からウェイト６０を懸下する。そうすると、支点５２から第二荷重伝達レバー５１の後端までの部分がウェイト６０の重量荷重によって振り下げられるので、第二荷重伝達レバー５１が第一荷重伝達レバー４１の左端の上から第一荷重伝達レバー４１の左端に押し当てられる。
【００４２】
また、何れかの係止穴８３にフック９１を引っ掛けて、その係止穴８３から第二ウェイト９０を懸下する。そうすると、支点８２から第三荷重伝達レバー８１の前端までの部分が第二ウェイト９０の重量荷重によって振り上げられるので、第三荷重伝達レバー８１が第一荷重伝達レバー４１の右端の下から第一荷重伝達レバー４１の右端に押し当てられる。
ウェイト６０，９０の重量荷重によってねじりモーメントが試験片２に発生する。
次に、変位センサ７１，７２のゼロ点を設定する。
【００４３】
試験片２が加熱炉３０により加熱された状態で、ねじりモーメントが試験片２に与えられるため、試験片２にクリープ現象が生じる。つまり、時間の経過に伴って試験片２のねじりの変形が増大する。クリープ試験の間中、第一荷重伝達レバー４１と第二荷重伝達レバー５１の接触部分の下方への変位を変位センサ７２によって連続的、断続的又は間欠的に計測する。変位センサ７２による計測結果を試験片２のねじり変形量に換算することができる。
【００４４】
４．  第３態様（曲げ）
図７は、第３態様のクリープ試験装置１をその前方、上方且つ左方から見て示した斜視図である。図８は、第３態様のクリープ試験装置１をその後方、上方且つ右方から見て示した斜視図である。
【００４５】
ベース板１１上には、支持台１００が着脱可能に取り付けられている。支持台１００は、加熱炉３０の右斜め前に配置されている。支持台１００の取付位置と支持台８０の取付位置は同じである。
【００４６】
支持台１００の上部には、第三荷重伝達レバー１０１が支点１０２を中心にして振り上げ下げ可能に支点１０２によって連結されている。支点１０２の回転軸線は左右に延びており、第三荷重伝達レバー１０１が支点１０２から前後に延びている。支点１０２は第一荷重伝達レバー４１よりも後ろに位置する。支点１０２は、支点８２よりも高い位置にある。また、支点１０２の高さと支点５２の高さは等しい。
【００４７】
第三荷重伝達レバー１０１の後端には、第二バランスウェイト１０４が取り付けられている。第二バランスウェイト１０４と第三荷重伝達レバー１０１の全体としての重量は、支点１０２において釣り合いが取れている。
【００４８】
第三荷重伝達レバー１０１のうち支点８２から前端までの部分は、第一荷重伝達レバー４１の右端の上を前後に横切っている。
【００４９】
第三荷重伝達レバー１０１のうち支点１０２から前端までの部分には、複数の係止穴１０３が第三荷重伝達レバー１０１の軸線方向に間隔を置いて形成されている。何れかの係止穴１０３に第二ウェイト１１０のフック１１１が引っ掛かって、その第二ウェイト１１０が係止穴１０３から懸下されている。
【００５０】
第二ウェイト１１０の重量荷重が第三荷重伝達レバー１０１に付与されることによって、支点１０２から第三荷重伝達レバー１０１の前端までの部分が振り下げられる。第二ウェイト１１０の重量荷重によって第三荷重伝達レバー１０１が第一荷重伝達レバー４１の上から第一荷重伝達レバー４１に押し当てられる。第三荷重伝達レバー１０１がその下から第一荷重伝達レバー４１の右端によって支持される。第三荷重伝達レバー１０１では、第一荷重伝達レバー４１による支持力のモーメントと第二ウェイト１１０の荷重のモーメントが釣り合う。また、第三荷重伝達レバー１０１と第一荷重伝達レバー４１の接触箇所では、下向きの荷重が第二ウェイト１１０の重量荷重によって第三荷重伝達レバー１０１から第一荷重伝達レバー４１に付与される。その下向きの荷重と、第二荷重伝達レバー５１から第一荷重伝達レバー４１に付与される下向きの荷重の両方は、試験片２に曲げモーメントを発生させる。
【００５１】
第３態様のクリープ試験装置１を用いたクリープ試験方法について以下に説明する。
【００５２】
第１態様の場合と同様に、試験片２の両端をそれぞれ試験片支持部２１、ブラケット４０に固定して、ブラケット４０に第一荷重伝達レバー４１に取り付けて、試験片２を加熱炉３０内に収容する。
次に、変位センサ７１，７２を設置する。
次に、加熱炉３０の電源を入れて、加熱部３３の温度を高温に保たせる。
次に、何れかの係止穴５３にフック６１を引っ掛けて、その係止穴５３からウェイト６０を懸下する。そうすると、支点５２から第二荷重伝達レバー５１の後端までの部分がウェイト６０の重量荷重によって振り下げられるので、第二荷重伝達レバー５１が第一荷重伝達レバー４１の左端の上から第一荷重伝達レバー４１の左端に押し当てられる。
【００５３】
また、何れかの係止穴１０３にフック１１１を引っ掛けて、その係止穴１０３から第二ウェイト１１０を懸下する。そうすると、支点１０２から第三荷重伝達レバー１０１の前端までの部分が第二ウェイト１１０の重量荷重によって振り下げられるので、第三荷重伝達レバー１０１が第一荷重伝達レバー４１の右端の上から第一荷重伝達レバー４１の右端に押し当てられる。
ウェイト６０，１１０の重量荷重によって曲げモーメントが試験片２に発生する。
次に、変位センサ７１，７２のゼロ点を設定する。
【００５４】
試験片２が加熱炉３０により加熱された状態で、曲げモーメントが試験片２に与えられるため、試験片２にクリープ現象が生じる。つまり、時間の経過に伴って試験片２の曲げの変形が増大する。クリープ試験の間中、試験片２の他端の下方への変位を変位センサ７１によって連続的、断続的又は間欠的に計測する。変位センサ７１による計測結果を試験片２の曲げ変形量に換算することができる。
【００５５】
５．  有利な効果
（１）  第１態様のクリープ試験装置１を用いれば、ウェイト６０の重量荷重によってねじりモーメントと曲げモーメントの両方が試験片２に発生する。油圧、空気圧及び電力を利用せずにウェイト６０の位置エネルギーを利用して、ねじりモーメントと曲げモーメントの両方を試験片２に発生させるため、第１態様のクリープ試験装置１がシンプル且つ小型な構造を有する。
【００５６】
（２）  第２態様のクリープ試験装置１を用いれば、ウェイト６０，９０の重量荷重によってねじりモーメントが試験片２に発生する。ねじりモーメントの発生のための動力源を使用しないため、第２態様のクリープ試験装置１もシンプル且つ小型な構造を有する。
【００５７】
（３）  第３態様のクリープ試験装置１を用いれば、ウェイト６０，１１０の重量荷重によって曲げモーメントが試験片２に発生する。曲げモーメントの発生のための動力源を使用しないため、第３態様のクリープ試験装置１もシンプル且つ小型な構造を有する。
【００５８】
（４）  第二荷重伝達レバー５１の延在方向が第一荷重伝達レバー４１の延在方向に対して交差し、第二荷重伝達レバー５１が第一荷重伝達レバー４１の左端の上を前後に横切っている。そのため、ウェイト６０からブラケット４０までの直線距離が短く、第１態様のクリープ試験装置１がコンパクトである。ウェイト６０から第二荷重伝達レバー４１及び第二荷重伝達レバー５１に沿ってブラケット４０までの距離が長く、ウェイト６０の重量荷重によって大きな荷重が試験片２に作用する。
同様に、第三荷重伝達レバー８１が第一荷重伝達レバー４１の右端の下を前後に横切っているので、第２態様のクリープ試験装置１がコンパクトであるとともに、ウェイト９０の重量荷重によって大きな荷重が試験片２に作用する。同様に、第三荷重伝達レバー１０１が第一荷重伝達レバー４１の右端の上を前後に横切っているので、第３態様のクリープ試験装置１がコンパクトであるとともに、ウェイト１１０の重量荷重によって大きな荷重が試験片２に作用する。
【００５９】
（５）  支持台８０、第三荷重伝達レバー８１、第二バランスウェイト８４及び第二ウェイト９０を着脱するだけで、クリープ試験装置１をねじり且つ曲げのクリープ試験にもねじりのクリープ試験にも利用することができる。同様に、支持台１００、第三荷重伝達レバー１０１、第二バランスウェイト１０４及び第二ウェイト１１０するだけで、ねじり且つ曲げのクリープ試験にも曲げのクリープ試験にも利用することができる。
【００６０】
（６）  荷重伝達レバー４１，５１，８１，１０１、支持台８０，１００、バランスウェイト８４，１０４及びウェイト９０，１１０が加熱炉３０の外側に配置されている。そのため、これらが熱の影響を受けない。また、荷重伝達レバー４１，５１，８１，１０１及び支持台８０，１００にクリープ現象が生じない。
【００６１】
（７）  試験片２が加熱炉３０に収容されるため、試験片２が所定の温度に加熱された状態で、曲げモーメント若しくはねじりモーメント又はこれらの両方を試験片２に与えることができる。このため、高温環境下における試験片２のクリープ現象を評価することができる。例えば、試験片２が蒸気タービン再熱止弁の鋳鋼溶接部を想定したものである場合には、その鋳鋼溶接部が受ける高温環境及び荷重環境を試験片２に再現することができる。
【００６２】
６．  変形例
第１態様においては、支点５２が第一荷重伝達レバー４１よりも後ろ且つ下に位置してもよい。この場合、第二荷重伝達レバー５１のうち支点５２から前端までの部分は、第一荷重伝達レバー４１の左端の下を前後に横切っている。そのため、ウェイト６０の重量荷重によって第二荷重伝達レバー５１が第一荷重伝達レバー４１の左端の下から第一荷重伝達レバー４１の左端に押し当てられることによって、上向きの荷重が第二荷重伝達レバー５１から第一荷重伝達レバー４１に付与される。その上向きの荷重が試験片２に曲げモーメントとねじりモーメントの両方を発生させる。
【００６３】
第２態様においては、支点５２が第一荷重伝達レバー４１よりも後ろ且つ下に位置し、支点８２が第一荷重伝達レバー４１よりも前且つ上に位置してもよい。この場合、第二荷重伝達レバー５１のうち支点５２から前端までの部分は、第一荷重伝達レバー４１の左端の下を前後に横切っている。そのため、ウェイト６０の重量荷重によって第二荷重伝達レバー５１が第一荷重伝達レバー４１の左端の下から第一荷重伝達レバー４１の左端に押し当てられることによって、上向きの荷重が第二荷重伝達レバー５１から第一荷重伝達レバー４１に付与される。また、第三荷重伝達レバー８１のうち支点８２から後端までの部分は、第一荷重伝達レバー４１の右端の上を前後に横切っている。そのため、第二ウェイト９０の重量荷重によって第三荷重伝達レバー８１が第一荷重伝達レバー４１の右端の上から第一荷重伝達レバー４１の右端に押し当てられることによって、下向きの荷重が第三荷重伝達レバー８１から第一荷重伝達レバー４１に付与される。上向きの荷重と下向きの荷重の両方が、試験片２にねじりモーメントを発生させる。
【００６４】
第３態様においては、支点５２が第一荷重伝達レバー４１よりも後ろ且つ下に位置し、支点１０２が第一荷重伝達レバー４１よりも前且つ下に位置してもよい。この場合、第二荷重伝達レバー５１のうち支点５２から前端までの部分は、第一荷重伝達レバー４１の左端の下を前後に横切っている。そのため、ウェイト６０の重量荷重によって第二荷重伝達レバー５１が第一荷重伝達レバー４１の左端の下から第一荷重伝達レバー４１の左端に押し当てられることによって、上向きの荷重が第二荷重伝達レバー５１から第一荷重伝達レバー４１に付与される。また、第三荷重伝達レバー１０１のうち支点１０２から後端までの部分は、第一荷重伝達レバー４１の右端の下を前後に横切っている。そのため、第二ウェイト１１０の重量荷重によって第三荷重伝達レバー１０１が第一荷重伝達レバー４１の右端の下から第一荷重伝達レバー４１の右端に押し当てられることによって、上向きの荷重が第三荷重伝達レバー１０１から第一荷重伝達レバー４１に付与される。両方の上向き荷重が、試験片２に曲げモーメントを発生させる。
【符号の説明】
【００６５】
１…クリープ試験装置
２…試験片
２１…試験片支持部
４１…第一荷重伝達レバー
５１…第二荷重伝達レバー
６０…ウェイト
８１…第三荷重伝達レバー
９０…第二ウェイト
１０１…第三荷重伝達レバー
１１０…第二ウェイト
【図１】
2019148472.tif 000003
【図２】
2019148472.tif 000004
【図３】
2019148472.tif 000005
【図４】
2019148472.tif 000006
【図５】
2019148472.tif 000007
【図６】
2019148472.tif 000008
【図７】
2019148472.tif 000009
【図８】
2019148472.tif 000010